(57)【要約】【課題】表示装置の両面に異なる画像を表示可能であり、且つそれぞれの面で多視点表示を実現する画像表示装置を提供する。【解決手段】複数の画像を表示する表示パネル２と、複数の画像を分離する画像分離手段と、を備えた画像表示装置１であって、表示パネル２は、透光性の基板と、基板の一方の面に形成された複数の発光素子と、画像表示領域を構成する複数のドットと、を備え、複数のドットの各々は、ボトムエミッション型の発光素子が形成された第１サブドットと、トップエミッション型の発光素子が形成された第２サブドットと、を含み、画像分離手段は、第１視差バリアＢ１と第２視差バリアＢ２とを含み、第１視差バリアＢ１には、第１サブドットに対応した透光部と第２サブドットに対応した遮光部と、が備えられ、第２視差バリアＢ２には、第２サブドットに対応した透光部と第１サブドットに対応した遮光部と、が備えられていることを特徴とする。【選択図】図１
2009086024.tif 000002
【特許請求の範囲】
【請求項１】
複数の画像を表示する表示パネルと、前記複数の画像を空間的に分離する画像分離手段と、を備えた画像表示装置であって、
前記表示パネルは、透光性の基板と、前記基板の一方の面上に形成された複数の発光素子と、画像表示領域を構成する複数のドットと、を備え、
前記複数のドットの各々は、前記一方の面とは反対の他方の面側に光を射出するボトムエミッション型の発光素子が形成された第１サブドットと、前記一方の面側に光を射出するトップエミッション型の発光素子が形成された第２サブドットと、を含み、
前記画像分離手段は、前記他方の面と対向配置された第１視差バリアと、前記一方の面と対向配置された第２視差バリアと、を含み、
前記第１視差バリアには、前記第１サブドットに対応した透光部と、前記第２サブドットに対応した遮光部とが備えられ、
前記第２視差バリアには、前記第２サブドットに対応した透光部と、前記第１サブドットに対応した遮光部とが備えられていることを特徴とする画像表示装置。
【請求項２】
前記表示パネルの画像表示領域を構成する１つの画素には、画面水平方向に配列された複数のドットが含まれ、各々のドットに含まれる前記第１サブドットと前記第２サブドットは、前記画面水平方向と直交する画面垂直方向に配列されていることを特徴とする請求項１に記載の画像表示装置。
【請求項３】
同一の前記ドットに含まれる前記第１サブドットと前記第２サブドットとは、同一の表示色であることを特徴とする請求項１または請求項２に記載の画像表示装置。
【請求項４】
前記一方の面上には、前記第１サブドットを駆動する第１スイッチング素子と、前記第２サブドットを駆動する第２スイッチング素子とが設けられ、
前記第１スイッチング素子と前記第２スイッチング素子とは、いずれも前記第２サブドットの形成領域に配置されていることを特徴とする請求項１から請求項３のいずれか１項に記載の画像表示装置。
【請求項５】
前記表示パネルは、複数の信号線を備え、
同一の前記ドットに含まれる前記第１サブドットと前記第２サブドットとは、共通の前記信号線に接続されていることを特徴とする請求項１から請求項４のいずれか１項に記載の画像表示装置。
【請求項６】
前記表示パネルは、複数の給電線を備え、
前記給電線は水平方向に延在していることを特徴とする請求項１から請求項５のいずれか１項に記載の画像表示装置。
【請求項７】
同一の前記ドットに含まれる前記第１サブドットと前記第２サブドットとは、共通の前記給電線に接続されていることを特徴とする請求項６に記載の画像表示装置。
【請求項８】
前記第１視差バリアおよび前記第２視差バリアは、前記透光部が水平方向に対して斜めに配列したステップバリア方式の視差バリアであることを特徴とする請求項１に記載の画像表示装置。
【請求項９】
前記画像表示装置は、前記第２サブドットに表示する前記複数の画像の画像データを変換する画像変換回路を備え、
前記画像変換回路は、前記画像データの水平方向のデータ配列順を反転させることを特徴とする請求項１に記載の画像表示装置。
【請求項１０】
前記発光素子は有機エレクトロルミネッセンス素子であることを特徴とする請求項１から請求項９のいずれか１項に記載の画像表示装置。
【請求項１１】
請求項１から請求項１０のいずれか１項に記載の画像表示装置を備えることを特徴とする電子機器。
【発明の詳細な説明】
【技術分野】
【０００１】
本発明は、画像表示装置および電子機器に関するものである。
【背景技術】
【０００２】
従来、特殊な眼鏡を必要とせずに多視点表示を実現する画像表示装置として、パララックスバリア方式やレンチキュラー方式等の画像分離手段を用いた画像表示装置が知られている。多視点表示の一例として２視点表示を行う場合には、特許文献１に示されるように、まず異なる観察者視点に対応した第１観察者用画像と第２観察者用画像を用意し、例えば縦ストライプ状に交互に表示する。次に、この表示画像を、画像と同一周期のパララックスバリアやシリンドリカルレンズ等の画像分離手段で空間的に分離して第１観察者と第２観察者に各々導くことで、観察者ごとに異なる画像を認識させることを実現している。
【０００３】
ところで、近年注目されている画像表示装置に有機エレクトロルミネッセンス（有機ＥＬ）装置がある。有機ＥＬ装置は、薄型化が可能、広視野角、低消費電力等の多くの特長を有しており、本格的実用化に向けた開発が活発に進められている。
【０００４】
この有機ＥＬ装置には、２つの発光取り出し方式がある。ひとつは、有機ＥＬ素子が放つ光を有機ＥＬ素子を形成した基板側とは反対側から取り出すトップエミッション方式であり、もうひとつは、有機ＥＬ素子を形成した基板側から基板を介して取り出すボトムエミッション方式である。ボトムエミッション方式では基板を介して光を取り出すため、基板には透明な素材のものが用いられる。
【０００５】
これを応用し、透明な基板の同一面に上記の２方式の有機ＥＬ素子を同時に具備した有機ＥＬ装置として、特許文献２や非特許文献１が提案されている。このような有機ＥＬ表示装置を用いると、トップエミッション方式側の有機ＥＬ素子とボトムエミッション方式側の有機ＥＬ素子に異なる画像を表示させることで、表示パネルのおもてと裏で異なる画像を同時に表示させることが可能となる。
【特許文献１】特開平６−２３６１５２号公報
【特許文献２】特開２００４−３６３０３４号公報
【非特許文献１】Proceedings of The 12th International Display Workshops in conjunction with Asia Display 2005, pp.625-628, 2005
【発明の開示】
【発明が解決しようとする課題】
【０００６】
前述の多視点表示の画像表示装置は、画像表示装置の装置前方から観察した場合に多視点表示を実現するものである。このような画像表示装置だと観察者の位置は装置前方に限定されるものである。しかし近年では、多様な場面で装置後方への画像表示も同時に可能な、すなわち両面表示が可能な画像表示装置のニーズが増えてきている。例えば、机をはさんで対面する複数の観察者に対してプレゼンテーションを行う際に、一つの画像表示装置の前方には複数の視野に対して視野に合わせた発表者用の画面を表示し、装置後方には同様に複数の視野に対して視野に合わせた観察者用の画面を表示するといった場合が考えられる。しかし、そのような画像表示装置は未だ提案されていない。
【０００７】
本発明はこのような事情に鑑みてなされたものであって、表示装置の両面に異なる画像を表示可能であり、且つそれぞれの面で多視点表示を実現する画像表示装置を提供することを目的とする。
【課題を解決するための手段】
【０００８】
上記の課題を解決するため、本発明の画像表示装置は、複数の画像を表示する表示パネルと、前記複数の画像を空間的に分離する画像分離手段と、を備えた画像表示装置であって、前記表示パネルは、透光性の基板と、前記基板の一方の面上に形成された複数の発光素子と、画像表示領域を構成する複数のドットと、を備え、前記複数のドットの各々は、前記一方の面とは反対の他方の面側に光を射出するボトムエミッション型の発光素子が形成された第１サブドットと、前記一方の面側に光を射出するトップエミッション型の発光素子が形成された第２サブドットと、を含み、前記画像分離手段は、前記他方の面と対向配置された第１視差バリアと、前記一方の面と対向配置された第２視差バリアと、を含み、前記第１視差バリアには、前記第１サブドットに対応した透光部と、前記第２サブドットに対応した遮光部とが備えられ、前記第２視差バリアには、前記第２サブドットに対応した透光部と、前記第１サブドットに対応した遮光部とが備えられていることを特徴とする。
【０００９】
この構成によれば、ドットを構成する第１サブドットおよび第２サブドットを用いてそれぞれ表示パネルの両面に複数の異なる画像を表示することが可能である。その上、第１サブドットにより表示される複数の異なる画像は、第１視差バリアにより分離されて装置前方の異なる観察視点に導かれ、同じく、第２サブドットにより表示される複数の異なる画像は、第２視差バリアにより分離されて装置後方の異なる観察視点に導かれる。そのため、表示パネルの両面においてそれぞれ複数の視点で異なる画像を観察させることができる。また、第１視差バリアの遮光部は第２サブドットと平面的に重なる領域を覆い、第２視差バリアの遮光部は第１サブドットと平面的に重なる領域を覆うため、各々の表示面の発光領域以外での外光反射を効率的に防ぎ、表示画像のコントラストや視認性を高めることができる。
【００１０】
本発明においては、前記表示パネルの画像表示領域を構成する１つの画素には、画面水平方向に配列された複数のドットが含まれ、各々のドットに含まれる前記第１サブドットと前記第２サブドットは、前記画面水平方向と直交する画面垂直方向に配列されていることが望ましい。
多視点表示装置は、通常の画像を表示する場合に比べて表示画素全体が画面水平方向に広がった状態となるため、水平方向に画像が荒くなり画質が低下する傾向にある。この構成によれば、各々のサブドットを画面垂直方向に配列することで、更なる画面水平方向の画質低下を防ぐことができ、両面表示と多視点表示とを両立することができる。
【００１１】
本発明においては、同一の前記ドットに含まれる前記第１サブドットと前記第２サブドットとは、同一の表示色であることが望ましい。
この構成によれば、同一ドット内で表示色の違いによるサブドットの境界部が無いため、表示可能領域の広いドットで構成された画像表示装置とすることができる。
【００１２】
本発明においては、前記一方の面上には、前記第１サブドットを駆動する第１スイッチング素子と、前記第２サブドットを駆動する第２スイッチング素子とが設けられ、前記第１スイッチング素子と前記第２スイッチング素子とは、いずれも前記第２サブドットの形成領域に配置されていることが望ましい。
この構成によれば、各サブドットをそれぞれアクティブマトリクス駆動方式で駆動させることで高品質の画像表示が可能な上に、各スイッチング素子が第２サブドットと重なって配置されるため、各スイッチング素子を形成する領域を別途設ける必要がなく、各サブドットの開口率を向上させることができる。
【００１３】
本発明においては、前記表示パネルは複数の信号線を備え、同一の前記ドットに含まれる前記第１サブドットと前記第２サブドットとは、共通の前記信号線に接続されていることが望ましい。
この構成によれば、第１サブドットと第２サブドットとで信号線を共有することにより形成する信号線を減らすことができ、各サブドットの開口率を上げることができる。
【００１４】
本発明においては、前記表示パネルは、複数の給電線を備え、前記給電線は水平方向に延在していることが望ましい。
本発明の画像表示装置は、視差バリアにより画像を分離するため、各サブドット同士が水平方向に広がった状態となり、水平方向に画像が荒くなり画質が低下する傾向にある。この構成によれば、一般に垂直方向に延在するように形成することが多い給電線を水平方向に延在するように形成することで、更なる水平方向の画質低下を防ぐことができる。
【００１５】
本発明においては、同一の前記ドットに含まれる前記第１サブドットと前記第２サブドットとは、共通の前記給電線に接続されていることが望ましい。
この構成によれば、第１サブドットと第２サブドットとで給電線を共有することにより形成する給電線を減らすことができ、各サブドットの開口率を上げることができる。
【００１６】
本発明においては、前記第１視差バリアおよび前記第２視差バリアは、透光部が水平方向に対して斜めに配列したステップバリア方式の視差バリアであることが望ましい。
ステップバリア方式の視差バリアとすることによって、表示画像のアスペクト比が１：１に近づき、水平方向に画像が大きくゆがむことなく全体として滑らかな画像表示を行うことができる。
【００１７】
本発明においては、前記画像表示装置は、前記第２サブドットに表示する前記複数の画像の画像データを変換する画像変換回路を備え、前記画像変換回路は、前記画像データの水平方向のデータ配列順を反転させることが望ましい。
この構成によれば、画像表示装置の後方に表示させる画像をあらかじめ左右反転した画像としておくことができ、左右が反転した画像を装置後方に表示することで、全体として左右が反転していない画像を表示させることができる。
【００１８】
本発明においては、前記発光素子は有機エレクトロルミネッセンス素子であることが望ましい。
この構成によれば、駆動電圧が低く高解像度な画像表示装置とすることができる。
【００１９】
また、本発明の電子機器は、先述の画像表示装置を備えることを特徴とする。
この構成によれば、複数の画面を用いることなく複数の画像が表示可能となるため、機器の小型化をすることができる。
【発明を実施するための最良の形態】
【００２０】
［第１実施形態］
以下、図１〜図１６を参照しながら、本発明の実施形態に係る画像表示装置の一例について順を追って説明する。ここでは、装置前方の２視点および装置後方の２視点の計４視点に異なる画像を表示することのできる画像表示装置について説明する。なお、以下の説明においては、画面の列方向（信号線の延在方向）を「垂直方向」といい、画面の行方向（走査線の延在方向）を「水平方向」ということとする。また、以下の全ての図面においては、図面を見やすくするため、各構成要素の膜厚や寸法の比率などは適宜異ならせてある。
【００２１】
（画像表示装置）
図１は、本発明の実施形態に係る画像表示装置の概略構成図である。画像表示装置１は、装置の前方および後方のそれぞれ複数の観察者に対して、複数の異なる画像を表示することのできる装置である。この画像表示装置１は、複数の入力画像データ群Ｇｉから、装置前方用および装置後方用の画像データを含む合成画像データ群ＧＩを合成して出力する画像データ合成回路７０と、画像データ合成回路７０から出力された合成画像データ群ＧＩが含む画像を表示する画像表示部２Ｌと、を備えている。この画像表示部２Ｌは、画像データ表示パネル７０から出力された合成画像データ群ＧＩが含む装置前方用の画像ＧＡ，ＧＢと装置後方用の画像ＧＣ，ＧＤとを表示する表示パネル２と、表示パネル２に表示された装置前方用の画像ＧＡ，ＧＢを空間的に分離し装置前方の観察者Ｈ１および観察者Ｈ２にそれぞれ導く第１視差バリアＢ１と、表示パネル２に表示された装置後方用の画像ＧＣ，ＧＤを空間的に分離し装置後方の観察者Ｈ３および観察者Ｈ４にそれぞれ導く第２視差バリアＢ２と、を備えている。
【００２２】
入力画像データ群Ｇｉは装置前方に表示させる入力画像データＧａおよびＧｂと、装置後方に表示させる入力画像データＧｃおよびＧｄとを含んでいる。表示パネル２に向かって右側に表示させる入力画像データがそれぞれＧａおよびＧｃであり、向かって左側に表示させる入力画像データがＧｂおよびＧｄである。それぞれの入力画像データは画像データ表示パネル７０で変換された後に、装置前方用の画像ＧＡおよびＧＢ、装置後方用の画像ＧＣおよびＧＤとして表示パネル２に表示される。それぞれ表示パネル２に向かって右側に表示される画像がＧＡおよびＧＣ、向かって左側に表示される画像がＧＢおよびＧＤである。
【００２３】
表示パネル２は、装置前面用の画像ＧＡおよびＧＢを表示する前方画面Ｗ１と、装置後面用の画像ＧＣおよびＧＤを表示する後方画面Ｗ２とを備える。前方画面Ｗ１には画像ＧＡとＧＢが、後方画面Ｗ２には画像ＧＣとＧＤが同時に表示されている。それぞれの画像を前方画面Ｗ１では第１視差バリアＢ１の、後方画面Ｗ２では第２視差バリアＢ２の備える機能により空間的に分離し、画像ＧＡを装置前方右側観察者Ｈ１に、画像ＧＢを装置前方左側観察者Ｈ２に、画像ＧＣを装置後方右側観察者Ｈ３に、画像ＧＤを装置後方左側観察者Ｈ４にそれぞれ導く。なお、表示パネル２の詳細な構成については後述する。
【００２４】
第１視差バリアＢ１は表示パネル２の前方画面Ｗ１に対向して配置している。また、第２視差バリアＢ２は表示パネル２の後方画面Ｗ２に対向して配置している。第１視差バリアＢ１および第２視差バリアＢ２は、各視差バリアが備える遮光部で一定方向の光を遮光することにより、各視差バリアが備える透光部から透過可能な光を選別し、画像を空間的に分離する機能を有する。
【００２５】
画像データ合成回路７０は、入力画像データ群Ｇｉを圧縮し装置前方用の画像データ格納用の第１メモリ７４Ａおよび装置後方用の画像データ格納用の第２メモリ７４Ｂに記憶させる画像圧縮回路７２と、第２メモリ７４Ｂから画像データを呼び出して画像データを水平方向に反転させ並び替えを行った上で第３メモリ７４Ｃに記憶させる画像変換回路７６と、第１メモリ７４Ａと第３メモリ７４Ｃに記憶された画像データを所定のルールに従って読み出し、合成画像データ群ＧＩを出力する読出制御回路７８とを備えている。これらを用いた画像データの処理については後述する。
【００２６】
（表示パネル）
続いて、画像表示装置１について、画像表示装置１を構成する画像表示部２Ｌと画像データ合成回路７０について順を追って説明する。まず、図２から図４を参照して画像表示部２Ｌを構成する表示パネル２を説明する。
【００２７】
図２は本実施形態に係る表示パネル２の配線構造を示すブロック図である。
【００２８】
図に示す表示パネル２は、発光素子として有機エレクトロルミネッセンス素子（以下、有機ＥＬ素子）を用い、スイッチング素子として薄膜トランジスタ（Thin Film Transistor。以下、ＴＦＴ）を用いたアクティブマトリクス方式の有機ＥＬ装置である。
【００２９】
表示パネル２は、走査信号を供給する第１走査線１０１Ａおよび第２走査線１０１Ｂと、画像信号を供給する信号線１０２と、給電線１０３と、各走査線と接続され各走査線に供給される走査信号を制御する走査線駆動回路８０と、信号線１０２と接続され信号線１０２に供給される画像信号を制御する信号線駆動回路１００とを備えている。
【００３０】
走査線駆動回路８０は、シフトレジスタおよびレベルシフタを備え、各走査信号を制御する。また、信号線駆動回路１００は、シフトレジスタ、レベルシフタ、ビデオラインおよびアナログスイッチを備え、信号線１０２を制御する。
【００３１】
第１走査線１０１Ａ、第２走査線１０１Ｂおよび給電線１０３は各々同数であり、並列に配置されている。また、信号線１０２は各走査線および給電線１０３と交差して配置されており、第１走査線１０１Ａと信号線１０２の交点には第１サブドットＤ１が、また、第２走査線１０１Ｂと信号線１０２の交点には第２サブドットＤ２がそれぞれ配置される。第１サブドットＤ１と第２サブドットＤ２でひとつのドットＤを形成している。
【００３２】
第１サブドットＤ１および第２サブドットＤ２は、それぞれ独立に発光することができ、第１サブドットＤ１は装置前方に、第２サブドットＤ２は装置後方に画像を表示するため発色する役割を担う。ｉ行目（ｉは奇数）の任意の列に配置された第１サブドットＤ１と、ｉ＋１行目の同列に配置された第２サブドットＤ２は、２つで１組のドットＤを構成する。また、それぞれのドットＤは赤色（Ｒ）、緑色（Ｇ）、青色（Ｂ）のうちいずれかの同じ色を発光することができる。
【００３３】
以下の説明においては、上記説明した通りの構成で、画像表示を行うために発色させる最小単位を「サブドット」、第１サブドットＤ１（装置前方用サブドット）と第２サブドットＤ２（装置後方用サブドット）をまとめて「ドット」と表現する。一般の構成の画像表示装置１では赤色、緑色、青色の３色のサブ画素で１つの表示画素を構成しているが、本実施形態の画像表示装置１では、赤色、緑色、青色の３色の第１サブドットＤ１または第２サブドットＤ２でそれぞれひとつの表示画素を構成する。
【００３４】
図３はドットＤ周辺の回路図である。ドットＤを構成する第１サブドットＤ１には、第１走査線１０１Ａを介して走査信号がゲート電極に供給される第１スイッチング用ＴＦＴ（第１スイッチング素子）１２１Ａと、この第１スイッチング用ＴＦＴ１２１Ａを介して信号線１０２から共有される画素信号がゲート電極に供給される第１駆動用ＴＦＴ（第１スイッチング素子）１２３Ａと、この第１駆動用ＴＦＴ１２３Ａを介して給電線１０３に電気的に接続したときに当該給電線１０３から駆動電流が流れ込む画素電極（陽極）１０Ａと、この画素電極１０Ａと陰極１１との間に挟み込まれた有機発光層１２Ａとが設けられている。画素電極１０Ａと陰極１１と有機発光層１２Ａにより、第１発光素子２１Ａが構成されている。
【００３５】
同様に第２サブドットＤ２には、第２走査線１０１Ｂを介して走査信号がゲート電極に供給される第２スイッチング用ＴＦＴ１２１（第２スイッチング素子）Ｂと、この第２スイッチング用ＴＦＴ１２１Ｂを介して信号線１０２から共有される画素信号がゲート電極に供給される第２駆動用ＴＦＴ（第２スイッチング素子）１２３Ｂと、この第２駆動用ＴＦＴ１２３Ｂを介して給電線１０３に電気的に接続したときに当該給電線１０３から駆動電流が流れ込む画素電極（陽極）１０Ｂと、この画素電極１０Ｂと陰極１１との間に挟み込まれた有機発光層１２Ｂとが設けられている。画素電極１０Ｂと陰極１１と有機発光層１２Ｂにより、第２発光素子２１Ｂが構成されている。
【００３６】
それぞれのサブドットには、付帯装置として、各駆動用ＴＦＴのゲート電極と接続する保持容量を設けても良い。信号線１０２から共有される画素信号を一時保持することにより画像の安定化を図ることが出来る。
【００３７】
この表示パネル２によれば、第１サブドットＤ１では、第１走査線１０１Ａに走査信号が供給され第１スイッチング用ＴＦＴ１２１Ａがオン状態になると、そのときの信号線１０２の電位に応じて第１駆動用ＴＦＴ１２３Ａがオン状態となる。第１駆動用ＴＦＴ１２３Ａがオン状態の場合、第１駆動用ＴＦＴ１２３Ａのチャネルを介して、電源線１０３から画素電極１０Ａに電流が流れ、更に有機発光層１２Ａを介して陰極１１に電流が流れる。有機発光層１２Ａは、流れる電流量に応じて発光する。第２サブドットＤ２においても同様の動作にて発光する。
【００３８】
次いで図４は、表示パネル２の装置前方から見た概略図を示す。表示パネル２は、光透過性と電気絶縁性を備える基板２０と、図示略のスイッチング用ＴＦＴに接続された画素電極が基板２０上にマトリックス状に配置されてなる図示略の画素電極域と、画素電極域の周囲に配置されるとともに各画素電極に接続される給電線１０３と、少なくとも画素電極域上に位置する平面視ほぼ矩形の画素部３（図中一点鎖線枠内）とを具備して構成されている。また画素部３は、中央部分の実表示領域４（図中二点鎖線枠内）と、実表示領域４の周囲に配置されたダミー領域５（一点鎖線および二点鎖線の間の領域）とに区画されている。
【００３９】
実表示領域４には、それぞれ画素電極を有するドットＤが水平方向および垂直方向へマトリクス状に離間して配置されている。各ドットＤはそれぞれ赤色、緑色、青色に発色可能となっており、水平方向に赤色、緑色、青色の順で繰り返し配列している。垂直方向には同一色が配列しており、いわゆるストライプ配置を構成している。このようにドットＤが水平方向および垂直方向に配列することにより、全体としての実表示領域４が形成されている。実表示領域４では、各ドットＤにそれぞれ赤色、緑色、青色の発光をさせて混色させることによりフルカラー表示を行うことが可能となっている。
【００４０】
実表示領域４の図中両側には、走査線駆動回路８０が配置されている。この走査線駆動回路８０はダミー領域５の下側に位置して設けられている。更に、実表示領域４の図中上側には、検査回路９０が配置されている。この検査回路９０はダミー領域５の下側に位置して設けられている。この検査回路９０は、表示パネル２の作動状況を検査するための回路であって、例えば検査結果を外部に出力する不図示の検査情報出力手段を備え、製造途中や出荷時の表示装置の品質、欠陥の検査を行うことができるように構成されている。
【００４１】
（有機ＥＬ装置）
次に、ドットＤの構成について図５および図６を用いて詳細に説明する。図５はドットＤ領域の表示パネル２の断面図を示し、図６はドットＤ近傍の配線構造を表す部分平面図を示す。図５は図６の線分Ａ−Ａでの断面図に該当する。
【００４２】
図５に示すようにドットＤは、基板上に形成された発光素子からの光を発光素子が形成された面（一方の面）とは反対の面（他方の面）から射出するボトムエミッション構造を備えた有機ＥＬ素子である第１サブドットＤ１と、基板上に形成された発光素子からの光を基板とは反対側の面から射出するトップエミッション構造を備えた有機ＥＬ素子である第２サブドットＤ２を備えている。ドットＤ近傍の表示パネル２は、基板２０と、半導体層１５０と、第１発光素子２１Ａおよび第２発光素子２１Ｂがこの順に積層されている。図５の説明においては、各層の積層する方向を上、基板２０の配置されている方向を下として各構成部材の上下関係を示す。
【００４３】
基板２０は、光透過性と電気絶縁性を備えた材料で形成され、ガラス、石英ガラス、窒化ケイ素等の無機物や、ポリエーテルスルホン樹脂、アクリル樹脂、ポリカーボネート樹脂等の有機高分子（樹脂）を用いることができる。また、光透過性と電気絶縁性を備えるならば、前記材料を積層または混合して形成された複合材料も含む。特に、無機物、ポリエーテルスルホン樹脂は、水分透過率が低いため好ましい。
【００４４】
基板２０の上には半導体層１５０が形成されている。半導体層１５０には、第１層間絶縁膜１５２と第２層間絶縁膜１５４と第３層間絶縁膜１５６が積層され、これら各層間絶縁膜の中に、第１サブドットＤ１の駆動に用いる第１駆動用ＴＦＴ１２３Ａと、第２サブドットＤ２の駆動に用いる第２駆動用ＴＦＴ１２３Ｂと、第１走査線１０１Ａと、第２走査線１０１Ｂと、給電線１０３とを含んで構成されている。
【００４５】
基板２０上の所定の位置には、第１駆動用ＴＦＴ１２３Ａを構成する第１半導体膜１２３ａと、第２駆動用ＴＦＴ１２３Ｂを構成する第２半導体膜１２３ｂが配置されており、基板２０上にはこれらの各半導体層を覆って第１層間絶縁膜１５２が形成されている。
【００４６】
第１層間絶縁膜１５２の上には、第１半導体膜１２３ａの上部に第１駆動用ＴＦＴ１２３Ａのゲート電極４２Ａが第１半導体膜１２３ａの上部に、また第２駆動用ＴＦＴ１２３Ｂのゲート電極４２Ｂが第２半導体膜１２３ｂの上部に形成されている。更に、第１層間絶縁膜１５２上には、ゲート電極４２Ａとゲート電極４２Ｂの間の領域に給電線１０３が形成され、ゲート電極４２Ａの給電線１０３とは反対側には第１走査線１０１Ａが、ゲート電極４２Ｂの給電線１０３とは反対側には第２走査線１０１Ｂがそれぞれ形成されている。また、これらの各電極や各配線を覆って第２層間絶縁膜１５４が形成されている。
【００４７】
第２層間絶縁膜１５４の上には、配線４４Ａと配線４４Ｂと配線４５が形成されている。配線４４Ａは、第１層間絶縁膜１５２と第２層間絶縁膜１５４とを貫通して形成されているコンタクトホールを介して第１半導体膜１２３ａと接続されている。また、配線４４Ｂは、第１層間絶縁膜１５２と第２層間絶縁膜１５４とを貫通して形成されているコンタクトホールを介して第２半導体膜１２３ｂと接続されている。更に配線４５は、第１層間絶縁膜１５２と第２層間絶縁膜１５４とを貫通して形成されているコンタクトホールを介して、第１半導体膜１２３ａおよび第２半導体膜１２３ｂと接続されており、同時に、第２層間絶縁膜１５４とを貫通して形成されているコンタクトホールを介して給電線１０３と接続されている。更に、第２層間絶縁膜１５４上には、これら各配線を覆って第３層間絶縁膜１５６が形成されている。各層間絶縁膜は、例えばＳｉＯ２やＳｉＮなどの絶縁材料で形成されている。なお、第３層間絶縁膜１５６は、下層に構成される配線等に由来する凹凸を平坦化する目的でアクリル樹脂やポリイミド樹脂などの樹脂材料で構成することが好ましい。
【００４８】
これらの第１半導体膜１２３ａ上に積層される各絶縁膜とゲート電極４２Ａ、および第１半導体膜１２３ａに接続される各配線は、全体として第１駆動用ＴＦＴ１２３Ａを形成している。また同様に、第２半導体膜１２３ｂ上に積層される各絶縁膜とゲート電極４２Ｂ、および第２半導体膜１２３ｂに接続される各配線は、全体として第２駆動用ＴＦＴ１２３Ｂを形成している。
【００４９】
半導体層１５０の上には、第１発光素子２１Ａおよび第２発光素子２１Ｂが形成されている。第１発光素子２１Ａと第２発光素子２１Ｂとは、第３半導体層１５６上に形成されている絶縁性の隔壁１３により絶縁され、区分されている。
【００５０】
第１発光素子２１Ａは、第３層間絶縁膜１５６に形成されているコンタクトホールを介して配線４４Ａと接続する光透過性の画素電極（陽極）１０Ａと、有機発光層１２Ａと、光を反射するボトムエミッション用陰極層１１ａと、光を透過する光透過性陰極層（陰極）１１とが、第３層間絶縁膜１５６からこの順に積層されて形成されている。
【００５１】
画素電極１０Ａの形成材料には、仕事関数が５ｅＶ以上の正孔注入効果の高い材料が好適に用いられる。このような正孔注入効果の高い材料としては、例えばＩＴＯ（Indium Thin Oxide:インジウム錫酸化物）等の金属酸化物を挙げることができる。本実施形態ではＩＴＯを用いる。
【００５２】
画素電極１０Ａの上には、有機発光層１２Ａが形成されている。有機発光層１２Ａには、正孔注入層、発光層、正孔輸送層が積層されて形成されている。これら電子輸送層、発光層、正孔輸送層には、一般に知られた材料を好適に用いることができる。
【００５３】
有機発光層１２Ａの上には、ボトムエミッション用陰極層１１ａが形成されている。ボトムエミッション用陰極層１１ａには、電子注入効果の大きい（仕事関数が４ｅＶ以下）材料が好適に用いられる。例えば、カルシウムやマグネシウム、ナトリウム、リチウム金属、又はこれらの金属化合物である。金属化合物としては、フッ化カルシウム等の金属フッ化物や酸化リチウム等の金属酸化物、アセチルアセトナトカルシウム等の有機金属錯体が該当する。これらの材料で形成されたボトムエミッション用陰極層１１ａは光を反射する性質を備え、有機発光層１２Ａから放出される光を基板２０側に向けて反射する反射膜としての機能を兼ね備える。ボトムエミッション用陰極層１１ａ上には、光透過性陰極層１１が形成されている。
【００５４】
また、第２発光素子２１Ｂは、第３層間絶縁膜１５６に形成されているコンタクトホールを介して配線４４Ｂと接続する光を反射する導電性の反射膜１５と、光透過性の画素電極（陽極）１０Ｂと、有機発光層１２Ｂと光を透過する光透過性陰極層１１とが、第３層間絶縁膜１５６からこの順に積層されて形成されている。
【００５５】
反射膜１５は、アルミや銅などの導電性の金属で形成されており、光を反射する性質を備える。そのため、有機発光層１２Ｂから放出される光を基板２０とは反対側に向けて反射する機能を有する。
【００５６】
反射膜１５を覆うように、画素電極１０Ｂが形成されている。画素電極１０Ｂには、画素電極１０Ａと同様にＩＴＯ等の金属酸化物が用いられ、本実施形態では画素電極１０Ａと同じくＩＴＯにより形成されている。なお、本実施形態においては、第２サブドットＤ２がトップエミッション構造のため、画素電極１０Ｂは必ずしも光透過性を有する材料を用いる必要はなく、クロム等からなる金属電極を用いても良い。この構成を採用した場合は、前述した反射膜１５は設けなくて良い。
【００５７】
画素電極１０Ｂの上には、有機発光層１２Ｂが形成されている。この有機発光層１２Ｂにも有機発光層１２Ａと同様に、正孔注入層、発光層、正孔輸送層が積層されて形成されている。これら電子輸送層、発光層、正孔輸送層には、一般に知られた材料を好適に用いることができる。また、同一のドットＤに含まれる第１サブドットＤ１および第２サブドットＤ２が同一色を発色するようにするため、有機発光層１２Ａおよび１２Ｂの発光層は同一色を発色する材料で構成されている。
【００５８】
有機発光層１２Ｂの上には、光透過性陰極層１１が形成されている。光透過性陰極層１１は有機発光層１２Ｂと共に、前述のボトムエミッション用陰極層１１ａや隔壁１３も覆うように上面全面に形成されている。光透過性陰極層１１には光が透過できる程度に薄く成膜されたマグネシウムやカルシウムなどの金属や、これらの金属化合物を用いることができる。薄い金属膜を用いる場合には導体断面積が小さく電気抵抗が高くなるため、成膜する金属薄膜の上に導電性を備えたＩＴＯなどの光透過性の導電体薄膜を更に成膜し、胴体断面積を大きくし電気抵抗を下げることとしても良い。また、ボトムエミッション用陰極層１１ａの抵抗を光透過性陰極層１１よりも低くすることにより、ボトムエミッション用陰極層１１ａをいわゆる補助電極として機能させ、第１サブドットＤ１と第２サブドットＤ２とを含む実表示領域４での輝度を均一化することとしても良い。
【００５９】
ここで、本実施形態の表示パネル２においては、前述の第１駆動用ＴＦＴ１２３Ａおよび第２駆動用ＴＦＴ１２３Ｂは、半導体層１５０の中において第２発光素子２１Ｂと平面的に重なる領域に配置されている。この第２発光素子２１Ｂと基板２０に挟持される領域は各発光素子から放たれる光を遮らない位置であるため、この領域に配置することで各サブドットの開口率を上げることができる。
【００６０】
続いて、図６を用いてドットＤ近傍の平面配線構造を説明する。図６においては、図５の半導体層１５０で覆われる各半導体膜と各配線のみ図示してある。
【００６１】
図に示すように、ドットＤ近傍には水平方向に延在する第１走査線１０１Ａおよび第２走査線１０１Ｂと、同じく水平方向に延在する給電線１０３と、垂直方向に延在する信号線１０２と、が配置されている。更に、第１走査線１０１Ａと給電線１０３に挟まれた領域には第１走査線１０１Ａを介して走査信号がゲート電極に供給される第１スイッチング用ＴＦＴ１２１Ａと、この第１スイッチング用ＴＦＴ１２１Ａを介して信号線１０２から共有される画素信号がゲート電極に供給される第１駆動用ＴＦＴ１２３Ａが配置されている。同様に、第２走査線１０１Ｂと給電線１０３に挟まれた領域には第２走査線１０１Ｂを介して走査信号がゲート電極に供給される第２スイッチング用ＴＦＴ１２１Ｂと、この第２スイッチング用ＴＦＴ１２１Ｂを介して信号線１０２から共有される画素信号がゲート電極に供給される第２駆動用ＴＦＴ１２３Ｂが配置されている。また前述の通り、第１駆動用ＴＦＴ１２３Ａと第２駆動用ＴＦＴ１２３Ｂとは、配線４５を介して接続されている。
【００６２】
第１スイッチング用ＴＦＴ１２１Ａのドレインは信号線１０２と接続されており、同ソースは配線４３Ａを介して第１駆動用ＴＦＴ１２３Ａのゲート電極４２Ａと接続されている。また、第１駆動用ＴＦＴ１２３Ａのドレインは配線４５を介して給電線１０３と接続されており、同ソースは不図示の画素電極１０Ａと接続されている。
【００６３】
同様に、第２スイッチング用ＴＦＴ１２１Ｂのドレインは信号線１０２と接続されており、同ソースは配線４３Ｂを介して第２駆動用ＴＦＴ１２３Ｂのゲート電極４２Ｂと接続されている。また、第２駆動用ＴＦＴ１２３Ｂのドレインは配線４５を介して給電線１０３と接続されており、同ソースは不図示の画素電極１０Ｂと接続されている。
【００６４】
これらの各半導体は、図中に破線で示す第２サブドットＤ２が備える図５の第２発光素子２１Ｂと平面的に重なる領域に配置されており、第１サブドットＤ１と平面的に重なる領域には主だった配線は配置されていない。
【００６５】
（有機ＥＬ装置の形成工程）
続いて、図７から図１０に示す配線構造の形成工程図を用いて、図６に示した配線の形成工程を説明する。
【００６６】
まず、図７に示すように、長手方向が水平方向を向くように半導体膜１２１ａ、１２１ｂを形成する。また、長手方向が垂直方向を向くように第１半導体膜１２３ａ、第２半導体膜１２３ｂを形成する。これらの各半導体膜は、例えば、ポリシリコン膜が形成され、所定の位置にアイランド上にパターニングされることにより得られる。
【００６７】
次いで、図８に示すように、不図示の第１層間絶縁膜を全面に成膜した後に、各半導体膜の長手方向の両端につながるコンタクトホールを形成する。
【００６８】
次いで、図９に示すように、第１走査線１０１Ａおよび第２走査線１０１Ｂと、給電線１０３と、ゲート電極４２Ａ，４２Ｂを形成する。第１走査線１０１Ａは、一部垂直方向に枝分かれして半導体膜１２１ａの中央部に平面的に重なり、図６に示した第１スイッチングＴＦＴ１２１Ａのゲート電極として機能を兼ね備える。同様に、第２走査線１０１Ｂは、一部垂直方向に枝分かれして半導体膜１２１ｂの中央部に平面的に重なり、図６に示した第２スイッチングＴＦＴ１２１Ｂのゲート電極として機能を兼ね備える。これらは、例えばアルミニウム等の導電膜を成膜した後に、パターニングされることにより得られる。各配線形成後、不図示の第２層間絶縁膜を全面に成膜しコンタクトホールを形成する。第２層間絶縁膜に形成するコンタクトホールは、第１層間絶縁膜に形成したコンタクトホールと接続され、第１および第２層間絶縁膜を貫通するコンタクトホールとなる。また、これとは別に、ゲート電極４２Ａ，４２Ｂの半導体膜１２１ａ，１２１ｂに近接する側の端部につながるコンタクトホールを形成する。更に、給電線１０３につながるコンタクトホールも形成する。
【００６９】
次いで、図１０に示すように、信号線１０２と配線４３Ａ，４３Ｂ，４４Ａ，４４Ｂ，４５を形成する。これらも、例えばアルミニウム等の導電膜を成膜した後に、パターニングされることにより得られる。形成される信号線１０２は、コンタクトホールを介して半導体膜１２１ａ，１２１ｂの一端に接続される。また配線４３Ａは、コンタクトホールを介して半導体膜１２１ａの他端とゲート電極４２Ａとを接続し、同様に配線４３Ｂは半導体膜１２１ｂの他端とゲート電極４２Ｂとを接続する。更に配線４５は、第１半導体膜１２３ａの一端と、給電線１０３と、第２半導体膜１２３ｂの一端とを接続する。そして配線４４Ａは、第１半導体膜１２３ａの他端に接続され、同様に配線４４Ｂは、第２半導体膜１２３ｂの他端に接続される。
【００７０】
更には、不図示の第３層間絶縁膜を全面に成膜した後、配線４４Ａを不図示の画素電極１０Ａと接続するためのコンタクトホールと、配線４４Ｂを不図示の反射膜１５と接続するためのコンタクトホールとを形成する。以上のようにして、ドットＤ近傍の配線構造が完成する。
【００７１】
以上のように形成された表示パネル２よれば、第１走査線１０１Ａに走査信号が供給されると、そのときの信号線１０２の電位に応じて第１サブドットＤ１が発光し、また、第２走査線１０１Ｂに走査信号が供給されると、そのときの信号線１０２の電位に応じて第２サブドットＤ２が発光する。ここで第１サブドットＤ１はボトムエミッション構造であり、第２サブドットＤ２はトップエミッション構造であることから、表示パネル２の両面に画像を表示することができることになる。本実施形態の画像表示部２Ｌは以上のような表示パネル２を備えるものとする。
【００７２】
（視差バリア）
引き続いて、図１１および図１２を用いて図１に示す画像表示部２Ｌを構成する第１視差バリアＢ１および第２視差バリアＢ２について説明する。本実施形態では、視差バリアとして、透光部を水平方向に対して斜めに配置する斜めバリア方式のステップバリアを用いる。
【００７３】
図１１は本実施形態の視差バリアを示す概略図であり、図１１（ａ）は表示パネル前方の第１視差バリアＢ１を示し、（ｂ）は表示パネル後方の第２視差バリアＢ２を示す。
【００７４】
本実施形態では、表示パネル２の第１サブドットＤ１を用いて装置前方に表示する２種類の画像を同時に表示し、この２種の画像を第１視差バリアＢ１を用いて空間的に分離し装置前方で２視点表示を行う。同様に、第２サブドットＤ２を用いて装置後方に表示する２種類の画像を同時に表示し、この２種の画像を第２視差バリアＢ２を用いて空間的に分離して装置後方で２視点表示を行う。
【００７５】
図１１（ａ）に示すように、表示パネル２の前方では、配置された第１サブドットＤ１が配列する行に第１視差バリアＢ１が備える透光部Ｂ１ａと遮光部Ｂ１ｂが規則的に交互に形成され、水平方向に縞模様を形成している。このような形状の第１視差バリアＢ１を配置することで、第１サブドットＤ１に表示される２種の画像は、透光部Ｂ１ａを通過する光の角度により空間的に分離が可能である。
【００７６】
また、第２サブドットＤ２が配列する行では、遮光部Ｂ１ｂが第２サブドットＤ２と平面的に重なって配置されている。第２サブドットＤ２はトップエミッション構造を備える有機ＥＬ素子であり、第２サブドットＤ２を光の放出方向（装置後方）とは逆方向（装置前方）から見ると、図５の反射膜１５が存在する。この反射膜１５は表示パネル２に差し込む外光を反射するため、第１サブドットＤ１から放たれる光と混じり画質やコントラストが低下する懸念がある。しかしここでは第２サブドットＤ２は遮光部Ｂ１ｂにより覆われているため、反射膜１５での外光反射を防ぐことが出来る構造となっている。
【００７７】
同様にして図１１（ｂ）に示すように、表示パネル２の後方では、配置された第２サブドットＤ２が配列する行に第２視差バリアＢ２が備える透光部Ｂ２ａと遮光部Ｂ２ｂが規則的に交互に形成され、水平方向に縞模様を形成している。これにより、第２サブドットＤ２に表示される２種の画像を空間的に分離することができる。また、第１サブドットＤ１が配列する行では、遮光部Ｂ２ｂは第１サブドットＤ１と平面的に重なって配置されている。これにより、第１サブドットＤ１が備えるボトムエミッション用陰極層での外光反射を防ぎ、第２サブドットＤ２が表示する画像の画質やコントラストが低下することを防ぐことができる。
【００７８】
図１２は、画面表示部２Ｌの水平方向断面図である。画像表示部２Ｌは、表示パネル２と、表示パネル２の各発光素子２１Ａ，２１Ｂを覆うように形成される封止層１６０と、表示パネル２の基板２０に対向して配置される第１視差バリア層１７０と、封止層１６０に対向して配置される第２視差バリア層１８０と、を備えている。
【００７９】
封止層１６０は、硬化性の樹脂材料により形成されており、例えばスクリーン印刷等の方法により封止層１６０の形成材料を表示パネル２の上に配置して硬化させることで形成される。封止層１６０により、図５に示す表示パネル２が有する隔壁１３の形状の影響による凹凸が埋められ、表面は略平坦に形成される。更に、封止層１６０は、表示パネル２の反りや体積膨張により発生する応力を緩和する役割を担う。この封止層１６０は、図５の光透過性陰極層１１を保護するため、ケイ素酸窒化物等で形成される電極保護層が含まれていても良い。
【００８０】
表示パネル２の基板２０に対向する側には、第１視差バリア層１７０が配置されている。第１視差バリア層１７０は、第１視差バリア基板１７２と、第１視差バリア基板１７２上に形成された第１視差バリアＢ１と、第１視差バリアＢ１を覆って第１視差バリア基板１７２上に形成される第１視差バリア保護層１７４とが、この順に積層されて形成されている。第１視差バリア層１７０は、第１視差バリア保護層１７４が基板２０と対向するように前面接着層１７６を介して接着されている。
【００８１】
また、表示パネル２の封止層１６０に対向する側には、第２視差バリア層１８０が配置されている。第２視差バリア層１８０は、第２視差バリア基板１８２と、第２視差バリア基板１８２上に形成された第２視差バリアＢ２と、第２視差バリアＢ２を覆って第２視差バリア基板１８２上に形成される第２視差バリア保護層１８４とが、この順に積層されて形成されている。第２視差バリア層１８０は、第２視差バリア基板１８２が封止層１６０と対向するように後面接着層１８６を介して接着されている。
【００８２】
各視差バリア基板および各視差バリア保護層は、ガラスや透明プラスチック（ポリエチレンテレフタレート、アクリル樹脂、ポリカーボネ―ト、ポリオレフィン等）などの光透過性を有する材料で形成されている。また各接着層は、光透過性の硬化性樹脂を含んで構成されている。
【００８３】
このような構成の画像表示部２Ｌでは、第１サブドットＤ１を用いて装置前方に表示される２種の画像ＧＡ，ＧＢは、第１視差バリアＢ１により空間的に分離される。そうすることで、装置前方から装置に向かって右側には画像ＧＡを、向かって左側には画像ＧＢを導き２視点表示を行う。同様に、第２サブドットＤ２を用いて装置後方に表示される２種の画像ＧＣ，ＧＤは、第２視差バリアＢ２により空間的に分離される。そうすることで、装置後方から装置に向かって右側には画像ＧＣを、向かって左側には画像ＧＤを導き２視点表示を行う。以上のようにして、画像表示部２Ｌでは、表示される複数の画像を装置前方および装置後方の複数の方向に向け空間的に分離して表示する。
【００８４】
（画像データ処理）
次に、これまで説明した画像表示部２Ｌに画像データを供給する画像データ合成回路７０について図１３から図１５を用いて説明する。
【００８５】
図１３は、画像データ合成回路７０の構成を示すブロック図である。図には画像データ合成回路７０の他にも、表示部である表示パネル２と、タイミング制御回路８と、を合わせて示している。
【００８６】
ここでは、入力画像データＧａ（装置前方右用）、Ｇｂ（同左用）、Ｇｃ（装置後方右用）、Ｇｄ（同左用）の４種の入力画像データからなる入力画像データ群Ｇｉが画像データ合成回路７０で変換され、画像ＧＡ，ＧＢ，ＧＣ，ＧＤを表示するための合成画像データ群ＧＩが合成されるまでの処理について説明する。
【００８７】
まず、入力される入力画像データ群Ｇｉは、画像圧縮回路７２に入力される。画像圧縮回路７２は、入力画像データ群Ｇｉの垂直方向のデータを間引いて圧縮し、新たな画像データＧＡ，ＧＢ，ＧＣ，ＧＤを作成する。作成された新たな画像データのうち、装置前方用の画像データＧＡ，ＧＢは第１メモリ７４Ａに、装置後方用の画像データＧＣ，ＧＤは第２メモリ７４Ｂにそれぞれ記憶される。
【００８８】
次いで、第２メモリ７４Ｂに記憶された画像データＧＣ，ＧＤは、画像変換回路７６に入力され、各画像データを水平方向に反転させ並び替えを行う。この処理により、左右が逆になった画像の画像データとなり、装置後方に向かって表示した場合にも通常の画像を表示することができる。作成した反転画像データＧＣｒｅｖおよびＧＤｒｅｖは第３メモリ７４Ｃに記憶される。
【００８９】
次いで、第１メモリ７４Ａと第３メモリ７４Ｃに記憶された各画像データは、読出制御回路７８により並べ替えられ、装置前方用の３色の合成画像データ（ＧＡ＋ＧＢ）ｒ，（ＧＡ＋ＧＢ）ｂ，（ＧＡ＋ＧＢ）ｇと、装置後方用の合成画像データ（ＧＣｒｅｖ＋ＧＤｒｅｖ）ｒ，（ＧＣｒｅｖ＋ＧＤｒｅｖ）ｂ，（ＧＣｒｅｖ＋ＧＤｒｅｖ）ｇとが作成され表示パネル２に出力される。なお、「ｒ」「ｇ」「ｂ」は、それぞれ赤色、緑色、青色の画像データを示している。ＧＡ＋ＧＢは装置前方用の合成画像データ、ＧＣｒｅｖ＋ＧＤｒｅｖは装置後方用の合成画像データである。
【００９０】
タイミング制御回路８は、表示パネル２の各サブドットを走査するためのドットクロックを生成する図示略のタイミング信号出力手段を備えている。タイミング制御回路８は、タイミング信号出力手段によって生成されたドットクロックに基づいて、クロック信号を生成し、画像データ合成回路７０および表示パネル２に出力するようになっている。画像データ合成回路７０では、クロック信号に合わせて合成画像データ群ＧＩからひつような各合成画像データを供給し、表示パネル２ではクロック信号に合わせて走査線駆動回路８０を操作して各走査線を駆動させ、画像を表示する。
【００９１】
続いて図１４および図１５を用いて、画像データ合成回路７０による処理される画像データについて説明する。入力する画像データの解像度はｍ×ｎ画素とし、垂直方向に１番目からｍ番目、水平方向に１番目からｎ番目にデータが配列しているものとする。まず、入力画像データＧａ，Ｇｂ，Ｇｃ，Ｇｄは画像圧縮回路７２でデータの配列順には変更無く垂直方向に圧縮され、ｍ／２×ｎ画素の画像データＧＡ，ＧＢ，ＧＣ，ＧＤとなる。
【００９２】
次いで装置後方用の入力画像データＧＣ，ＧＤは、画像変換回路７６で水平方向のデータの並びが反転する。すなわちｍ／２×ｎ画素のデータ量は変わらないまま、水平方向に１番目からｎ番目まで並んでいた画像データが、ｎ番目から１番目の並びに反転し、反転画像データＧＣｒｅｖ，ＧＤｒｅｖに変換される。
【００９３】
次いで、読出制御回路７８により、装置前方用の画像データＧＡ，ＧＢが水平方向に交互に並び替えられることにより、合成画像データＧＡ＋ＧＢが作成される。装置後方用の画像データＧＣｒｅｖ，ＧＤｒｅｖも同様に並び替えられることにより、合成画像データＧＣｒｅｖ＋ＧＤｒｅｖが作成される。これらの各合成画像データが信号線から供給される折には、水平方向で１番目の装置前方用の合成画像データが供給される信号線には、水平方向でｎ番目の装置後方用の合成画像データが供給される。逆に、水平方向でｎ番目の装置前方用の合成画像データが供給される信号線には、水平方向で１番目の装置後方用の合成画像データが供給されることになる。このように画像データが供給されることにより、装置後方においても左右が反転していない通常の表示が可能となる。
【００９４】
図１５には、合成画像データ群ＧＩを用いて表示した合成画像を装置前方から（画面Ｗ１から）見た平面図を示す。表示パネルでは、タイミング制御回路から供給されるクロック信号に合わせて、まず第１走査線１０１Ａを駆動させ、装置前方用の合成画像データＧＡ＋ＧＢを用いて装置前方用の画像を第１サブドットＤ１に表示する。次いで第２走査線１０１Ｂを駆動させ、装置後方用の合成画像データＧＣｒｅｖ＋ＧＤｒｅｖを用いて装置後方用の画像を第２サブドットＤ２に表示する。この第１走査線１０１Ａと第２走査線１０１Ｂの駆動を交互に行うことで、表示パネル２に合成画像を表示する。その結果、図に示すように、水平方向には画像ＧＡとＧＢ若しくは画像ＧＣとＧＤが交互に並んで配置される。画像ＧＡとＧＢは水平方向に１番目からｎ番目の画像データによる画像が表示され、画像ＧＣとＧＤは水平方向にｎ番目から１番目の順の画像データによる画像が表示される。垂直方向にはＧＡ，ＧＤ，ＧＢ，ＧＣの順の繰り返しで画像データが配列する。
【００９５】
図１６は画面Ｗ１と画面Ｗ２に表示された合成画像の一部を示す平面図である。すなわち、図１の表示パネル２に表示された合成画像を第１視差バリアＢ１と第２視差バリアＢ２により空間的に分離し、それぞれの各観察者に導いた後の画像の一部を示す。
【００９６】
装置前方の画面Ｗ１では画像ＧＡとＧＢが同時に表示され、第１視差バリアＢ１により前方右側用の画像ＧＡと前方左側用の画像ＧＢに分離される。一方、装置後方の画面Ｗ２では画像ＧＣとＧＤが同時に表示され、第２視差バリアＢ２により後方右側用の画像ＧＣと後方左側用の画像ＧＤに分離される。画像ＧＣとＧＤについては、反転した画像を装置後方の画面Ｗ２で見ることにより、装置後方の観察者は左右が反転していない画像を見ることが出来る。
【００９７】
一般的な構成では水平方向に連続して隣接する赤色、緑色、青色の３色の発光そしで１画素とするため、１画素における発光素子の配列比（アスペクト比）は垂直：水平が１：３であるが、ここでは１行おきに配置された第１サブドットＤ１または第２サブドットＤ２で画像表示を行うため、画素Ｐのアスペクト比は４：３となっている。
【００９８】
以上のようにして、本実施形態の画像表示装置１を用いて、画像表示部２Ｌの両面にそれぞれ２種ずつ、計４種の画像を異なる画像を表示し、多視点表示を実施することができる。
【００９９】
以上のような構成の画像表示装置によれば、ドットＤに含まれる第１サブドットＤ１および第２サブドットＤ２を用いてそれぞれ表示パネル２の両面に複数の異なる画像を表示し、第１サブドットＤ１により表示される複数の異なる画像を第１視差バリアＢ１により分離し、第２サブドットＤ２により表示される複数の異なる画像を第２視差バリアにより分離することができる。そして、分離した各画像を、表示パネル２の両面においてそれぞれ複数の視点で観察させることができる。また、第１視差バリアＢ１の遮光部は第２サブドットＤ２と平面的に重なり、第２視差バリアＢ２の遮光部は第１サブドットＤ１と平面的に重なるため、各々の表示面での外光反射を効率的に防ぎ、表示画像のコントラストや視認性を高めることができる。
【０１００】
また、本実施形態では、第１サブドットＤ１と第２サブドットＤ２とが、垂直方向に配列していることとしている。多視点表示装置は、装置構成の必要により通常の画像を表示する場合に比べて表示画素全体が水平方向に広がった状態となる。そのため、水平方向に画像が荒くなり画質が低下する傾向にある。しかし本実施形態の構成によれば、各々のサブドットを垂直方向に交互に配列することで、更なる水平方向の画質低下を防ぐことができるため、両面表示と多視点表示とを両立することができる。
【０１０１】
また、本実施形態では、同一のドットＤに含まれる第１サブドットＤ１と第２サブドットＤ２と、が同一の表示色であることとしている。そのため、同一のドットＤ内で表示色の違いによるサブドットの境界部が無く、表示可能領域の広いサブドットで構成された画像表示装置１とすることができる。
【０１０２】
また、本実施形態では、第１サブドットＤ１の各々は、第１サブドットＤ１の駆動を制御する第１駆動用トランジスタ１２３Ａを備え、また、第２サブドットＤ２の各々は、第２サブドットＤ２の駆動を制御する第２駆動用トランジスタ１２３Ｂを備えていることとしている。更に、第１駆動用トランジスタ１２３Ａと第２駆動用トランジスタ１２３Ｂとは、いずれも第２発光素子２１Ｂと基板２０との間に形成されており、第２サブドットＤ２が備える第２発光素子２１Ｂと平面的に重なる領域に配置されていることとしている。そのため、各サブドットを高画質の画像表示が可能なアクティブマトリクス方式の駆動方式で駆動させることができ、なお且つ、各駆動用トランジスタを形成する領域を別途設ける必要がなくなるため、各サブドットの開口率を向上させることができる。
【０１０３】
また、本実施形態では、表示パネル２は複数の信号線１０２を備え、信号線１０２は同一のドットＤが備える第１サブドットＤ１と第２サブドットＤ２との両方に接続されていることとしている。第１サブドットＤ１と第２サブドットＤ２とで信号線１０２を共有することにより形成する信号線１０２を減らすことができ、各サブドットの開口率を上げることができる。
【０１０４】
また、本実施形態では、表示パネル２が備える複数の給電線２が水平方向に延在していることとしている。本発明の画像表示装置１は各視差バリアにより画像を分離するため、各サブドット同士が水平方向に広がった状態となり、水平方向に画像が荒くなり画質が低下する傾向にある。しかし本実施形態では、一般に垂直方向に延在するように形成することが多い給電線１０２を水平方向に延在するように形成しているため、更なる水平方向の画質低下を防ぐことができる。
【０１０５】
また、本実施形態では、給電線１０２は同一のドットＤが備える第１サブドットＤ１と第２サブドットＤ２との両方に接続されている。第１サブドットＤ１と第２サブドットＤ２とで給電線１０２を共有することにより形成する給電線１０２を減らすことができ、各サブドットの開口率を上げることができる。
【０１０６】
また、本実施形態で用いる各視差バリアは、透光部が水平方向に対して斜めに配列したステップバリア方式の視差バリアであることとしている。ステップバリア方式の視差バリアとすることによって、表示画像のアスペクト比が１：１に近づき、水平方向に画像が大きくゆがむことなく全体として滑らかな画像表示を行うことができる。
【０１０７】
また、本実施形態では、画像表示装置１が第２サブドットＤ２に表示する複数の画像の画像データを変換する画像変換回路７０を備えており、画像変換回路７０によって、画像データの水平方向のデータ配列順を反転させることとしている。そのため、画像表示装置１の後方に表示させる画像をあらかじめ左右反転した画像としておくことができ、左右が反転した画像を装置後方に表示することで、全体として左右が反転していない画像を表示させることができる。
【０１０８】
また、本実施形態では、表示パネル２に使用する発光素子は有機エレクトロルミネッセンス素子であることとしている。そのため、駆動電圧が低く高解像度な画像表示装置１とすることができる。
【０１０９】
なお、本実施形態においては、第１サブドットＤ１と第２サブドットＤ２が垂直方向に交互に配列することとしたが、水平方向に配列することとしても構わない。
【０１１０】
また、本実施形態においては、同一のドットＤに含まれる第１サブドットＤ１と第２サブドットＤ２とは同じ表示色としたが、異なる色を表示させることとしても構わない。
【０１１１】
また、本実施形態においては、同一のドットＤに含まれる第１サブドットＤ１が上で第２サブドットＤ２が下になるように配置することとしたが、第１サブドットＤ１と第２サブドットＤ２との上下の配置が逆になっても構わない。
【０１１２】
また、本実施形態においては、各サブドットは駆動を制御する駆動用トランジスタを備えるアクティブマトリクス駆動方式で駆動することとしたが、駆動用トランジスタを設けずパッシブマトリクス駆動方式で駆動することとしても構わない。また、片方のサブドットにのみ駆動用トランジスタを設け、第１サブドットＤ１と第２サブドットＤ２で駆動方式を変えても良い。
【０１１３】
また、本実施形態においては、各サブドットの駆動用トランジスタを第２サブドットＤ２の第２発光素子２１Ｂと平面的に重なる位置に形成することとしたが、その他の発光素子から放たれる光の光路を遮らない位置に設けることとしても良い。例えば隔壁１３に平面的に重なる位置などが好適な領域として考えられる。
【０１１４】
また、本実施形態においては、同一のドットＤに含まれる第１サブドットＤ１と第２サブドットＤ２とが同じ信号線１０２に接続され共有していることとしたが、サブドット毎に独立に信号線１０２を形成することとしても良い。
【０１１５】
また、本実施形態においては、給電線１０３が水平方向に延在するが、垂直方向に延在することとしても良い。
【０１１６】
また、本実施形態においては、同一のドットＤに含まれる第１サブドットＤ１と第２サブドットＤ２とが同じ給電線１０３に接続され共有していることとしたが、サブドット毎に独立に給電線１０３を形成することとしても良い。
【０１１７】
また、本実施形態においては、ステップバリア方式の視差バリアを用いることとしているが、ストライプバリア方式の視差バリアを用いることもできる。
【０１１８】
また、本実施形態においては、装置後方用の画像データを変換する画像変換回路を備えることとしたが、画像データの変換処理を別途行った上、画像表示装置１で表示させることとしても良い。
【０１１９】
また、それぞれのサブドットには付帯装置として、各駆動用ＴＦＴの各ゲート電極と接続する保持容量を設けても良い。信号線１０２から共有される画素信号を一時保持することにより画像の安定化を図ることが出来る。その際、保持容量は第２サブドットＤ２の発光素子２１Ｂと基板２０に挟持される位置に設けることが望ましい。そうすることで各々のサブドットの開口率を高めることが可能となる。
【０１２０】
また、本実施形態では、装置前方の２視点および装置後方の２視点の計４視点に異なる画像を表示することのできる画像表示装置１について説明したが、もちろんこれに限らない。視差バリアの設計と合成画像の設計により、１面あたり３視点、４視点と増やすことも可能である。
【０１２１】
また、本実施形態で示したもの以外の透光部パターンを備えた視差バリアを用いる場合には、視差バリア形状に合わせて画像データ合成回路７０にて入力画像データを変換することが望ましい。
【０１２２】
また、本実施形態では、各発光素子は有機エレクトロルミネッセンス（ＥＬ）素子であることとしたが、無機ＥＬ素子を用いて構成しても良い。
【０１２３】
また、本実施形態で示したデータ処理・画像表示の方法は一例であって、本発明の趣旨から逸脱しない範囲においてデータ処理方法を変更することが可能である。例えば、本実施形態の画像表示方法では、装置前方用の合成画像データＧＡ＋ＧＢと、装置後方用の合成画像データＧＣｒｅｖ＋ＧＤｒｅｖと、を別々に合成し、第１走査線１０１Ａと第２走査線１０１Ｂとをやはり別々に起動させて、装置前方用の画像と装置後方用の画像を交互に表示させることとした。これを、合成画像データを装置前方用と装置後方用に分けず、両方をまとめた合成画像データＧＡ＋ＧＣｒｅｖ＋ＧＢ＋ＧＤｒｅｖを合成し、また、第１走査線１０１Ａと第２走査線１０１Ｂとに分けず、垂直方向に順に走査線を起動させることで、回路的に装置前方用と装置後方用の画像を分けて表示させることとしても良い。
【０１２４】
［電子機器］
次に、本発明の電子機器の実施形態について説明する。
図１７は、表示画面に本発明の画像表示装置を用いた電子機器の一例であるゲーム機器を示す図である。図１７（ａ）は装置の斜視図を示し、（ｂ）は電子機器を用いた状態を示す模式図を示す。
【０１２５】
図１７（ａ）に示すように、ゲーム機器１０００は、ゲーム画面を表示する表示画面１０１０と、ゲーム機器１０００に入力指示を行う入力部１０２０と、筐体１０３０と、スピーカ１０４０を備えている。このゲーム機器１０００では、表示画面１０１０に本発明の画像表示装置を用いており、両面それぞれ２視点ずつ計４視点に対して、異なる画像を表示することができる。
【０１２６】
図１７（ｂ）に示すように、ゲーム機器１０００を用いてゲームを行うと、それぞれ異なる画像を表示することができる。そのため例えば、それぞれに異なる場面の画像を表示したり（Ｈ１とＨ２の画面）、複数の操作者に同じ画像を表示しながら特定の操作者の画面にのみに異なる表示を映したり（Ｈ３とＨ４の画面）といった画像表示が可能になる。このような画像を表示するためには、これまでは操作者の人数と同じ数の画像表示装置を用意する必要があった。このようなゲーム機器１０００は、例えばゲーム機器１０００を挟んで２対２で行う対戦ゲームなどに有効である。
【０１２７】
その他の例としては、画像を表示させる方向により、４方向からテーブルを囲んで行うマージャンやトランプなどのゲームの画面表示にも用いることができる。
【０１２８】
以上のような構成の電子機器を用いると、複数のゲーム機器を用意することなく複数の画像が表示可能となるため、機器の小型化をすることができる。
【０１２９】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【０１３０】
例えば、視差バリアを用いた多視点表示装置と同じ原理を利用して、一人の観察者の右眼と左眼に異なる画像を導くことで、立体視表示を実現することができる。そのため、本発明は表示画面の両面で異なる画像の立体視表示が可能な画像表示装置とすることもできる。例えばこのような画像表示装置を用い、一方の面では来客を出迎える立体画像、他方の面では客を見送る立体画像を表示させる案内表示板とすることが考えられる。また、一方の面では立体視表示、他方の面では多視点表示を可能とする画像表示装置としても良い。
【図面の簡単な説明】
【０１３１】
【図１】本実施形態の画像表示装置の概略構成図である。
【図２】本実施形態における表示パネルの配線構造を示すブロック図である。
【図３】本実施形態におけるドット周辺の回路図である。
【図４】本実施形態における表示パネルを模式的に示す平面図である。
【図５】本実施形態における表示パネルを模式的に示す断面図である。
【図６】本実施形態におけるドット周辺の配線構造を模式的に示す平面図である。
【図７】本実施形態におけるドット周辺の配線構造の形成工程を示す工程図である。
【図８】本実施形態におけるドット周辺の配線構造の形成工程を示す工程図である。
【図９】本実施形態におけるドット周辺の配線構造の形成工程を示す工程図である。
【図１０】本実施形態におけるドット周辺の配線構造の形成工程を示す工程図である。
【図１１】本実施形態の表示パネルに視差バリアを付設した様子を示す概略図である。
【図１２】本実施形態の画面表示部の水平方向断面図である
【図１３】本実施形態における画像データ合成回路の構成を示すブロック図である
【図１４】本実施形態の変換される画像データを示す概略図である。
【図１５】表示パネルに表示した合成画像を装置前方から見た平面図である。
【図１６】前方画面と後方画面に表示された合成画像の一部を示す平面図である。
【図１７】電子機器の一例であるゲーム機器を示す概略図である。
【符号の説明】
【０１３２】
１…画像表示装置、２…表示パネル、２０…基板、２１Ａ…第１発光素子、２１Ｂ…第２発光素子、１０２…信号線、１０３…給電線、１２１Ａ…第１スイッチング用ＴＦＴ（第１スイッチング素子）、１２１Ｂ…第２スイッチング用ＴＦＴ（第２スイッチング素子）、１２３Ａ…第１駆動用ＴＦＴ（第１スイッチング素子）、１２３Ｂ…第２駆動用ＴＦＴ（第２スイッチング素子）、１０００…ゲーム機器（電子機器）、１０１０…表示画面、Ｂ１…第１視差バリア（画像分離手段）、Ｂ２…第２視差バリア（画像分離手段）、Ｂ１ａ，Ｂ２ａ…透光部、Ｂ１ｂ，Ｂ２ｂ…遮光部、Ｄ…ドット、Ｄ１…第１サブドット、Ｄ２…第２サブドット
【図１】
2009086024.tif 000003
【図２】
2009086024.tif 000004
【図３】
2009086024.tif 000005
【図４】
2009086024.tif 000006
【図５】
2009086024.tif 000007
【図６】
2009086024.tif 000008
【図７】
2009086024.tif 000009
【図８】
2009086024.tif 000010
【図９】
2009086024.tif 000011
【図１０】
2009086024.tif 000012
【図１１】
2009086024.tif 000013
【図１２】
2009086024.tif 000014
【図１３】
2009086024.tif 000015
【図１４】
2009086024.tif 000016
【図１５】
2009086024.tif 000017
【図１６】
2009086024.tif 000018
【図１７】
2009086024.tif 000019